(57)【要約】      （修正有）【課題】配信先を限定して必要な情報を配信することが可能である情報配信装置、情報配信方法及び情報配信プログラムを提供する。【解決手段】情報配信システム１において、情報配信装置３は、ＩＰ網６−２を介して、１台以上の配信先端末４−１〜４−Ｎに向けて情報を配信する配信部３１２と、ＩＰ網６−２を介して、情報を取得した１台以上の配信先端末から応答信号を収集する収集部３１３と、配信先端末が情報を少なくとも取得したか否かを表す到達状況情報を、収集された応答信号に基づいて配信先端末ごとに得る集計部３１４と、到達状況情報に基づいて選択された配信先端末に向けて情報を再配信する再配信部とを備える。【選択図】図１
2019021278.tif 000002
【特許請求の範囲】
【請求項１】
ＩＰ網を介して、１台以上の配信先端末に向けて情報を配信する配信部と、
ＩＰ網を介して、前記情報を取得した１台以上の前記配信先端末から応答信号を収集する収集部と、
前記配信先端末が前記情報を少なくとも取得したか否かを表す到達状況情報を、収集された前記応答信号に基づいて前記配信先端末ごとに得る集計部と、
前記到達状況情報に基づいて選択された前記配信先端末に向けて前記情報を再配信する再配信部と
を備える情報配信装置。
【請求項２】
前記集計部は、１台以上の前記配信先端末について前記到達状況情報を集計した結果を表す集計結果情報を生成し、
前記再配信部は、前記集計結果情報に基づいて選択された前記配信先端末に向けて前記情報を再配信する、請求項１に記載の情報配信装置。
【請求項３】
前記集計部は、前記到達状況情報に基づく地図を前記集計結果情報として生成する、請求項２に記載の情報配信装置。
【請求項４】
前記集計部は、前記到達状況情報に基づくグラフを前記集計結果情報として生成する、請求項２に記載の情報配信装置。
【請求項５】
前記配信部は、テキストデータである前記情報を配信する、請求項１から請求項４のいずれか一項に記載の情報配信装置。
【請求項６】
情報配信装置が実行する情報配信方法であって、
ＩＰ網を介して、１台以上の配信先端末に向けて情報を配信するステップと、
ＩＰ網を介して、前記情報を取得した１台以上の前記配信先端末から応答信号を収集するステップと、
前記配信先端末が前記情報を少なくとも取得したか否かを表す到達状況情報を、収集された前記応答信号に基づいて前記配信先端末ごとに得るステップと、
前記到達状況情報に基づいて選択された前記配信先端末に向けて前記情報を再配信するステップと
を有する情報配信方法。
【請求項７】
コンピュータに、
ＩＰ網を介して、１台以上の配信先端末に向けて情報を配信する手順と、
ＩＰ網を介して、前記情報を取得した１台以上の前記配信先端末から応答信号を収集する手順と、
前記配信先端末が前記情報を少なくとも取得したか否かを表す到達状況情報を、収集された前記応答信号に基づいて前記配信先端末ごとに得る手順と、
前記到達状況情報に基づいて選択された前記配信先端末に向けて前記情報を再配信する手順と
を実行させるための情報配信プログラム。
【発明の詳細な説明】
【技術分野】
【０００１】
本発明は、情報配信装置、情報配信方法及び情報配信プログラムに関する。
【背景技術】
【０００２】
音声通話網を利用した配信は、発災直後に音声通話網において音声通話が輻輳する場合があるため、防災情報の配信には不向きである。そこで、ＩＰ（Internet Protocol）網を利用する電子メール及びウェブページアクセス機能を用いて防災情報を配信する方法が提案されている（特許文献１参照）。
このため、地方公共団体の職員等は、同報系防災行政無線、緊急速報メール、ＳＮＳ（Social Networking Service）、登録制メール、ケーブルテレビ、コミュニティＦＭ、屋外拡声器及び戸別受信機等を用いて、防災情報をブロードキャストで住民に配信する場合がある。
【先行技術文献】
【特許文献】
【０００３】
【特許文献１】特開２００４−２５３９５１号公報
【発明の概要】
【発明が解決しようとする課題】
【０００４】
しかしながら、地方公共団体が使用している従来の情報配信装置は、局所的な位置で災害の発生が予想される場合でも、その局所的な位置に存在している少数の配信先のみならず、その局所的な位置を含む広範囲に分布している多数の配信先にも防災情報を配信してしまう場合がある。このように、従来の情報配信装置は、配信先を適宜限定して必要な情報を配信することができないという問題があった。
【０００５】
上記事情に鑑み、本発明は、配信先を限定して必要な情報を配信することが可能である情報配信装置、情報配信方法及び情報配信プログラムを提供することを目的としている。
【課題を解決するための手段】
【０００６】
本発明の一態様は、ＩＰ網を介して、１台以上の配信先端末に向けて情報を配信する配信部と、ＩＰ網を介して、前記情報を取得した１台以上の前記配信先端末から応答信号を収集する収集部と、前記配信先端末が前記情報を少なくとも取得したか否かを表す到達状況情報を、収集された前記応答信号に基づいて前記配信先端末ごとに得る集計部と、前記到達状況情報に基づいて選択された前記配信先端末に向けて前記情報を再配信する再配信部とを備える情報配信装置である。
【０００７】
本発明の一態様は、上記の情報配信装置であって、前記集計部は、１台以上の前記配信先端末について前記到達状況情報を集計した結果を表す集計結果情報を生成し、前記再配信部は、前記集計結果情報に基づいて選択された前記配信先端末に向けて前記情報を再配信する。
【０００８】
本発明の一態様は、上記の情報配信装置であって、前記集計部は、前記到達状況情報に基づく地図を前記集計結果情報として生成する。
【０００９】
本発明の一態様は、上記の情報配信装置であって、前記集計部は、前記到達状況情報に基づくグラフを前記集計結果情報として生成する。
【００１０】
本発明の一態様は、上記の情報配信装置であって、前記配信部は、テキストデータである前記情報を配信する。
【００１１】
本発明の一態様は、情報配信装置が実行する情報配信方法であって、ＩＰ網を介して、１台以上の配信先端末に向けて情報を配信するステップと、ＩＰ網を介して、前記情報を取得した１台以上の前記配信先端末から応答信号を収集するステップと、前記配信先端末が前記情報を少なくとも取得したか否かを表す到達状況情報を、収集された前記応答信号に基づいて前記配信先端末ごとに得るステップと、前記到達状況情報に基づいて選択された前記配信先端末に向けて前記情報を再配信するステップとを有する情報配信方法である。
【００１２】
本発明の一態様は、コンピュータに、ＩＰ網を介して、１台以上の配信先端末に向けて情報を配信する手順と、ＩＰ網を介して、前記情報を取得した１台以上の前記配信先端末から応答信号を収集する手順と、前記配信先端末が前記情報を少なくとも取得したか否かを表す到達状況情報を、収集された前記応答信号に基づいて前記配信先端末ごとに得る手順と、前記到達状況情報に基づいて選択された前記配信先端末に向けて前記情報を再配信する手順とを実行させるための情報配信プログラムである。
【発明の効果】
【００１３】
本発明により、配信先を限定して必要な情報を配信することが可能である。
【図面の簡単な説明】
【００１４】
【図１】情報配信システムの構成の例を示す図である。
【図２】ユーザ管理データベース及び配信データベースの第１例を示す図である。
【図３】メッセージデータベースの第１例を示す図である。
【図４】メッセージデータベースの第２例を示す図である。
【図５】ユーザ管理データベース及び配信データベースの第２例を示す図である。
【図６】メッセージの表示の例を示す図である。
【図７】質問及び回答の表示の例を示す図である。
【図８】到達状況等の表示の例を示す図である。
【図９】ユーザ管理データベース及び配信データベースの第３例を示す図である。
【図１０】集計結果情報等の表示の第１例を示す図である。
【図１１】集計結果情報等の表示の第２例を示す図である。
【図１２】ユーザ管理データベース及び配信データベースの第４例を示す図である。
【図１３】情報配信システムの動作の例を示すフローチャートである。
【発明を実施するための形態】
【００１５】
本発明の実施形態について、図面を参照して詳細に説明する。
まず、情報配信システムの概要を説明する。
図１は、情報配信システム１の構成の例を示す図である。情報配信システム１は、防災情報やイベント情報等の情報を配信するシステムである。情報配信システム１は、配信元端末２と、情報配信装置３と、配信先端末４−１〜４−Ｎと（符号Ｎは、２以上の整数）とを備える。配信元端末２は、複数でもよい。また、情報配信システム１は、地図データベース記憶装置５を更に備えてもよい。
【００１６】
以下では、配信先端末４−１〜４−Ｎに共通する事項については、符号の一部を省略して「配信先端末４」と表記する。情報配信システム１は、配信元端末２によって配信先端末４−１〜４−Ｎのうちから選択（指定）された配信先端末４に向けて、必要な情報を配信することが可能である。すなわち、情報配信システム１は、配信先を限定して必要な情報を配信することが可能である。
【００１７】
配信元端末２（配信コンソール）は、情報の配信元となる情報処理端末である。配信元端末２は、例えば、パーソナルコンピュータ、タブレット端末、スマートフォン端末等である。配信元端末２は、例えば、地方公共団体の職員によって操作される。配信元端末２は、ブラウザを利用して、ＩＰ網６−１を介して情報配信装置３にアクセスする。配信元端末２は、情報配信装置３に記憶されているデータベースを、ブラウザを利用して編集する。すなわち、配信元端末２は、情報配信装置３に記憶されているデータベースに、ブラウザを利用してデータを書き込む。また、配信元端末２は、情報配信装置３に記憶されているデータベースから、ブラウザを利用してデータを読み出す。
【００１８】
情報配信装置３に記憶されているデータベースは、例えば、ユーザ、グループ及び配信先端末に関するデータベース（以下「ユーザ管理データベース」という。）と、配信される配信情報（配信メッセージ）と配信履歴とに関するデータベース（以下「配信データベース」という）と、メッセージに関するデータベース（以下「メッセージデータベース」という）とである。
【００１９】
配信元端末２は、例えば、配信先端末４の所有者が所属するグループ等を表す情報を、ＩＰ網６−１を介して、ユーザ管理データベースに登録する。配信先端末４の所有者は、配信先端末４に配信された質問に回答する回答者となる。グループ等を表す情報は、例えば、配信先端末４の所有者の住所が属する市町村を表す情報である。配信元端末２は、配信先として選択された配信先端末４を表す情報（配信先情報）を、ＩＰ網６−１を介して配信データベースに登録する。
【００２０】
配信元端末２は、例えば、配信先として選択された各配信先端末４に向けて配信されるメッセージ等の情報を、ＩＰ網６−１を介してメッセージデータベースに登録する。登録される情報の項目には、テンプレートが定められていてもよい。
【００２１】
配信される情報は、テキストデータであるためデータ量が少ない。配信される読み上げメッセージは、配信先端末４によってテキストが読み上げられる形式（読み上げ形式）のメッセージであり、例えば、データテーブルの形式でメッセージデータベースに登録される。また、配信される質問メッセージは、配信された質問に対する回答に応じて次に配信される質問が選択されるように、質問木の形式でメッセージデータベースに登録される。
【００２２】
配信元端末２は、情報配信装置３にアクセスすることによって、配信データベースから到達状況情報（ステータス）を読み出す。到達状況情報とは、配信された情報を配信先端末４が少なくとも取得したか否かを表す情報である。到達状況情報は、例えば、未達、到達、既読、回答中、全回答のように表現される。
【００２３】
情報配信装置３に記憶されている他のデータベースは、例えば、集計結果に関するデータベース（以下「集計結果データベース」という）と、配信先端末４に割り当てられたＩＰアドレス等の識別情報のデータベースとである。配信元端末２は、情報配信装置３にアクセスすることによって、到達状況情報に基づく集計結果情報を集計結果データベースから読み出してもよい。集計結果情報とは、１台以上の配信先端末４について到達状況情報を集計した結果を表す情報である。集計結果情報は、例えば、グラフ、データテーブル、地図等の形式で表現される。
【００２４】
情報配信装置３は、配信先として選択された各配信先端末４に向けて、同報系の情報を配信する情報処理装置である。情報配信装置３は、例えばサーバ装置である。情報配信装置３は、配信元端末２からの認証要求を受け付ける。情報配信装置３は、情報配信装置３に記憶されているデータベースにブラウザを介してアクセスすることを、認証された配信元端末２に対して許可する。
【００２５】
情報配信装置３は、情報配信装置３に記憶されている配信データベースに基づいて、配信先として選択された各配信先端末４に向けて同報系の情報を配信する。情報配信装置３は、ＩＰ網６−２を介して、各配信先端末４に同報系の情報を配信する。
【００２６】
情報配信装置３は、情報の配信先とされた各配信先端末４から、配信された同報系の情報に対する応答信号を、ＩＰ網６−２を介して収集する。情報配信装置３は、各配信先端末４から、配信先端末４の位置情報（ユーザの位置情報）を、ＩＰ網６−２を介して収集してもよい。情報配信装置３は、収集された応答信号に基づいて、到達状況情報等を配信先端末４ごとに得る。情報配信装置３は、収集された応答信号に基づいて得られた到達状況情報等に応じて、集計結果情報としてのグラフを生成する。情報配信装置３は、収集された応答信号に基づいて得られた到達状況情報に応じて、集計結果情報としてのデータテーブルを生成する。
【００２７】
情報配信装置３は、ＩＰ網６−１又はＩＰ網６−２を介して、地図データを地図データベース記憶装置５から取得する。例えば、情報配信装置３は、各配信先端末４から収集された応答信号に基づいて得られた到達状況情報に応じて、地図データを加工する。情報配信装置３は、加工された地図データを集計結果情報として生成する。例えば、情報配信装置３は、配信先端末４の位置を示すピン画像を地図上に配置することによって、加工された地図データを生成する。配信先端末４の位置を示すピン画像の色や文字は、到達状況情報に応じて配信先端末４ごとに異なっている。
【００２８】
情報配信装置３は、認証された配信元端末２が配信データベースにアクセスした場合、配信データベースに対するアクセスを受け付ける。情報配信装置３は、読み出しを要求された到達状況情報を、配信データベースから読み出す。情報配信装置３は、配信データベースから読み出された到達状況情報を、認証された配信元端末２に出力する。
【００２９】
情報配信装置３は、認証された配信元端末２が集計結果データベースにアクセスした場合、集計結果データベースに対するアクセスを受け付ける。情報配信装置３は、読み出しを要求された集計結果情報を、集計結果データベースから読み出す。情報配信装置３は、集計結果データベースから読み出された集計結果情報を、認証された配信元端末２に出力する。
【００３０】
配信先端末４は、情報の配信先となる情報処理端末である。各配信先端末４は、互いに異なる構成を有していてもよい。すなわち、各配信先端末４のＩＣＴ（Information and Communication Technology）リテラシーは、互いに異なっていてもよい。例えば、配信先端末４は、パーソナルコンピュータ、タブレット端末、スマートフォン端末、戸別受信機等である。配信先端末４は、配信先端末４の所有者によって操作される。配信先端末４の所有者は、例えば、地方公共団体に属する住民である。配信先端末４は、地方公共団体が所有している屋外拡声器でもよい。
【００３１】
配信先端末４には、情報配信装置３から配信された情報を処理するためのアプリケーションプログラムが、予めインストールされる。配信先端末４は、アプリケーションプログラムを、例えば情報配信装置３から取得する。配信先端末４は、アプリケーションプログラムを他の装置から取得してもよい。
【００３２】
配信先端末４は、情報配信装置３から配信された情報を、ＩＰ網６−２を介して取得する。配信先端末４は、情報配信装置３から配信されたリンク情報（ＵＲＬ: Uniform Resource Locator）に基づいて、地図データを地図データベース記憶装置５から取得してもよい。地図データは、例えば、配信先端末４の位置から避難所までの経路を表すデータを含む。配信先端末４は、情報配信装置３から配信された情報を取得した場合、ＩＰ網６−２を介して、応答信号を情報配信装置３に送信する。配信先端末４は、情報配信装置３から配信された情報を取得した場合、ＩＰ網６−２を介して、自端末の位置情報（ユーザの位置情報）を情報配信装置３に送信してもよい。配信先端末４は、自端末の操作部に対する操作を受け付けた場合に、応答信号を情報配信装置３に送信してもよい。配信先端末４は、自端末の操作部に対する操作を受け付けた場合に、自端末の位置情報を情報配信装置３に送信してもよい。
【００３３】
地図データベース記憶装置５は、例えば、磁気ハードディスク装置や半導体記憶装置等の不揮発性の記録媒体（非一時的な記録媒体）である。地図データベース記憶装置５は、地図データを記憶する。地図データベース記憶装置５は、ＩＰ網６−１又はＩＰ網６−２を介して地図データベース記憶装置５にアクセスした配信元端末２、情報配信装置３及び配信先端末４に、地図データを送信する。
【００３４】
次に、情報配信システム１の構成例の詳細を説明する。
配信元端末２は、記憶部２０と、操作部２１と、処理部２２と、出力部２３と、通信部２４とを備える。処理部２２と通信部２４とのうちの一部又は全部は、例えば、ＣＰＵ（Central Processing Unit）等のプロセッサが、記憶部２０に記憶されたプログラムを実行することにより実現される。処理部２２と通信部２４とのうちの一部又は全部は、ＬＳＩ（Large Scale Integration）やＡＳＩＣ（Application Specific Integrated Circuit）等のハードウェアを用いて実現されてもよい。
【００３５】
記憶部２０は、例えば、磁気ハードディスク装置や半導体記憶装置等の不揮発性の記録媒体（非一時的な記録媒体）である。記憶部２０は、ＲＡＭ（Random Access Memory）等の揮発性の記録媒体を更に備えてもよい。記憶部２０は、ブラウザや認証処理等のプログラムを記憶する。記憶部２０は、配信元端末２に割り当てられたＩＰアドレスを更に記憶してもよい。
【００３６】
操作部２１は、マウス、キーボード、タッチパネル等の操作デバイスを有する。操作部２１は、ハードウェアの操作キーを備えてもよいし、表示デバイスとしての出力部２３の画面に表示された操作キー画像（ボタン画像）を備えてもよい。
【００３７】
処理部２２は、認証処理部２２０と、書込要求部２２１と、読出要求部２２２と、出力処理部２２３とを備える。認証処理部２２０は、配信元端末２に割り当てられたＩＰアドレスを情報配信装置３に送信する。認証処理部２２０は、予め定められた識別情報及びパスワードを情報配信装置３に送信することによって、配信元端末２の認証を情報配信装置３に要求する。
【００３８】
書込要求部２２１は、情報配信装置３に記憶されている複数のデータベースから選択されたデータベースへの情報の書き込みを、操作部２１が受け付けた操作に応じて情報配信装置３に要求する。書込要求部２２１は、例えば、質問に回答する回答者が所属するグループ等を表す情報をユーザ管理データベースに書き込むことを、情報配信装置３に要求する。書込要求部２２１は、例えば、メッセージ等の情報を再配信するか否かを表すフラグ情報を配信データベースに書き込むことを、情報配信装置３に要求する。書込要求部２２１は、例えば、配信されるメッセージをメッセージデータベースに書き込むことを、情報配信装置３に要求する。配信元端末２の書込要求部２２１は、例えば、庁舎、避難所及び病院等のランドマークの位置情報を情報配信装置３の配信装置記憶部３２に登録することを、情報配信装置３の書込部３１１に要求する。
【００３９】
書込要求部２２１は、例えば、配信先として選択された配信先端末４のグループを表す情報を配信データベースに書き込むことを、情報配信装置３に要求する。書込要求部２２１は、例えば、到達状況情報に基づいて再配信先として選択された配信先端末４を表す情報を配信データベースに書き込むことを、情報配信装置３に要求する。
【００４０】
読出要求部２２２は、情報配信装置３に記憶されている複数の集計結果情報から選択された集計結果情報を集計結果データベースから読み出すことを、操作部２１が受け付けた操作に応じて情報配信装置３に要求する。読出要求部２２２は、情報配信装置３に記憶されている複数の到達状況情報から選択された到達状況情報を配信データベースから読み出すことを、操作部２１が受け付けた操作に応じて情報配信装置３に要求してもよい。
【００４１】
出力処理部２２３は、画像処理を実行する。出力処理部２２３は、情報配信装置３から取得されたデータを、ブラウザを利用して出力部２３に表示する。例えば、出力処理部２２３は、情報配信装置３に記憶されている集計結果データベースから読み出された集計結果情報を、ブラウザを利用して出力部２３に表示する。例えば、出力処理部２２３は、情報配信装置３に記憶されている配信データベースから読み出された到達状況情報を、ブラウザを利用して出力部２３に表示してもよい。
【００４２】
出力部２３は、液晶ディスプレイ等の表示デバイスである。出力部２３は、処理部２２から出力された画像を表示する。出力部２３は、スピーカを更に備えてもよい。出力部２３は、出力処理部２２３から出力された音声を出力してもよい。
通信部２４は、ＩＰ通信を実行する機能部である。通信部２４は、ＩＰ網６−１を介して、情報配信装置３及び地図データベース記憶装置５と通信する。
【００４３】
情報配信装置３の構成の例を説明する。
情報配信装置３は、通信部３０と、処理部３１と、配信装置記憶部３２とを備える。通信部３０と処理部３１とのうちの一部又は全部は、例えば、ＣＰＵ等のプロセッサが、配信装置記憶部３２に記憶されたプログラムを実行することにより実現される。通信部３０と処理部３１とのうちの一部又は全部は、ＬＳＩやＡＳＩＣ等のハードウェアを用いて実現されてもよい。
【００４４】
通信部３０は、ＩＰ通信を実行する機能部である。通信部３０は、ＩＰ網６−１を介して、配信元端末２と通信する。通信部３０は、ＩＰ網６−１又はＩＰ網６−２を介して、地図データベース記憶装置５と通信する。
【００４５】
処理部３１は、認証部３１０と、書込部３１１と、配信部３１２と、収集部３１３と、集計部３１４と、地図処理部３１５と、読出部３１６とを備える。認証部３１０は、配信元端末２から取得された識別情報及びパスワードに基づいて、配信元端末２を認証する。
【００４６】
書込部３１１は、配信元端末２の書込要求部２２１から書き込みを要求された情報を、配信装置記憶部３２に記憶されている複数のデータベースから選択されたデータベースに書き込む。例えば、書込部３１１は、ランドマークの位置情報をランドマークのデータベースに予め登録する。例えば、書込部３１１は、配信先端末４の所有者（回答者）が所属するグループ等を表す情報を、ユーザ管理データベースに書き込む。例えば、書込部３１１は、配信先として選択された配信先端末４を表す情報を、配信データベースに書き込む。例えば、書込部３１１は、再配信先として選択された配信先端末４を表す情報を、配信データベースに書き込む。
【００４７】
図２は、ユーザ管理データベース及び配信データベースの第１例を示す図である。以下では、データベース同士の関連が理解しやすいように、ユーザ管理データベースと配信データベースとは、図において便宜的に結合された一つの表として記載される。ユーザ管理データベースの項目には、回答者名と、回答者ＩＤと、グループと、配信先端末ＩＤと、位置情報とがある。これらの項目は一例である。例えば、ユーザ管理データベースの項目には、配信先端末４の種別と、接続状態（オンラインであるか否か）と、配信先端末４にインストールされているアプリケーションのバージョン情報とが更に含まれていてもよい。ユーザ管理データベースにおいて、各項目は互いに対応付けられている。配信元端末２は、メッセージ等の情報が配信される前に、回答者名と回答者ＩＤとグループと配信先端末ＩＤとを、ブラウザを利用して登録する。
【００４８】
配信データベースの項目には、配信時刻と、応答時刻と、ステータスと、再配信フラグとがある。これらの項目は一例である。配信データベースにおいて、各項目は互いに対応付けられている。配信元端末２は、メッセージ等の情報が配信される前に、再配信フラグをブラウザを利用して登録してもよい。
【００４９】
回答者名は、配信先端末４を操作して質問等に回答する者の名である。回答者名は、例えば、配信先端末４の所有者の名である。回答者ＩＤは、回答者名に割り当てられた識別情報である。グループは、回答者名の人物が所属するグループである。グループは、例えば、「Ａ市」、「Ｂ市」等の行政区画で表現されてもよい。配信先端末ＩＤは、回答者名の人物が操作する配信先端末４に割り当てられた識別情報である。
【００５０】
配信時刻は、メッセージ等の情報の配信時刻（配信日時）である。応答時刻は、配信されたメッセージ等の情報に対する応答信号の受信時刻である。位置情報は、配信先端末４の所有者（ユーザ）の位置情報である。配信先端末４の所有者（ユーザ）の位置情報は、人工衛星等からの電波を用いた測位結果を表す緯度経度情報でもよいし、予め定められた設置位置を表す緯度経度情報でもよい。
【００５１】
ステータスは、配信先端末４に配信された情報の到達状況を表す。ステータスは、第１のステータス、第２のステータスのように細分化されてもよい。例えば、未達と到達と既読とは、第１のステータスに分類されてもよい。例えば、回答中と全回答とは、第２のステータスに分類されてもよい。
【００５２】
未達とは、メッセージ等の情報が配信先端末４に取得されていないことを表す。到達とは、メッセージ等の情報が配信先端末４に少なくとも取得されていることを表す。既読とは、メッセージ等の情報が配信先端末４の表示デバイス等に出力されたことを表す。回答中とは、配信先端末４の表示デバイス等に出力された質問メッセージに回答者が回答中であることを表す。全回答とは、配信された全ての質問メッセージに回答者が回答済であることを表す。再配信フラグは、メッセージ等の情報を再配信するか否かを表すフラグである。例えば、再配信フラグは、「要」又は「不要」のように表現される。
【００５３】
図３は、メッセージデータベースの第１例を示す図である。図３では、メッセージデータベースは、質問メッセージを含む。配信される質問メッセージは、配信された質問に対する回答に応じて次に配信される質問が選択されるように、質問木の形式でメッセージデータベースに登録される。図３では、メッセージデータベースの項目には、質問番号と、回答方法と、質問内容と、第１の回答内容である第１回答内容と、第１の回答遷移先である第１回答遷移先と、第２の回答内容である第２回答内容と、第２の回答遷移先である第２回答遷移先と、第３の回答内容である第３回答内容と、第３の回答遷移先である第３回答遷移先とがある。これらの項目は一例である。メッセージデータベースにおいて、各項目は互いに対応付けられている。配信元端末２は、質問メッセージが配信される前に、ブラウザを利用して各項目をメッセージデータベースに登録する。
【００５４】
質問番号は、質問に割り当てられた番号である。回答方法は、出力された質問への回答方法を表す。例えば、回答方法「ボタン」は、押下操作が可能である操作キー画像（ボタン画像）を用いた回答方法を表す。質問内容は、質問メッセージの内容を表す。第１回答内容は、質問メッセージに対する回答の選択肢の一つを表す。回答の選択肢は、例えば、「はい」、「いいえ」、「ほか」である。第１回答遷移先は、第１回答内容が回答として選択された場合に次に配信される質問メッセージの質問番号（遷移先）を表す。第２回答内容と第２回答遷移先と第３回答内容と第３回答遷移先とは、第１回答内容と第１回答遷移先と同様にそれぞれ登録される。
【００５５】
図４は、メッセージデータベースの第２例を示す図である。図４では、メッセージデータベースは、読み上げ形式のメッセージである読み上げメッセージを含む。図４では、メッセージデータベースの項目には、メッセージ番号と、回答方法と、第１メッセージ内容と、第２メッセージ内容とがある。これらの項目は一例である。メッセージデータベースにおいて、各項目は互いに対応付けられている。配信元端末２は、読み上げメッセージが配信される前に、ブラウザを利用して各項目を登録する。
【００５６】
図１に戻り、情報配信装置３の構成の例の説明を続ける。配信部３１２は、配信元端末２によって選択された配信先端末４に向けて、メッセージ等の情報を、通信部３０を介して配信する。例えば、配信部３１２は、配信先として選択された配信先端末４のグループを表す情報を、ユーザ管理データベースから取得する。配信部３１２は、例えば、配信先として選択された配信先端末４のグループ「Ａ市」に対応付けられた配信先端末ＩＤの各配信先端末４に向けて、メッセージ番号「１」の警告メッセージを配信する。
【００５７】
例えば、配信部３１２は、質問メッセージに対する応答信号を収集部３１３に送信した配信先端末４に向けて、メッセージデータベースにおいて定められた遷移先（シナリオ）に基づく次の質問メッセージを配信する。例えば、再配信部としての配信部３１２は、配信データベースにおける再配信フラグに「要」と書き込まれた配信先端末ＩＤの各配信先端末４に向けて、メッセージ等の情報を再配信する。配信される情報と再配信される情報とは、同じ情報でもよいし、異なる情報でもよい。配信部３１２は、配信時刻を配信データベースに登録する。
【００５８】
なお、配信部３１２は、配信装置記憶部３２に記憶されているアプリケーションプログラムを、配信先端末４に配信してもよい。また、情報配信装置３は、再配信を実行する機能部である再配信部を、配信部３１２とは別に、更に備えてもよい。再配信部は、配信部３１２が情報を再配信する代わりに、情報を再配信してもよい。
【００５９】
図５は、ユーザ管理データベース及び配信データベースの第２例を示す図である。収集部３１３は、配信された同報系の情報を取得した各配信先端末４から、通信部３０を介して応答信号を収集する。収集部３１３は、収集された応答信号に基づいて、配信データベースを更新する。例えば、収集部３１３は、応答時刻とステータスとを配信データベースに登録することによって、配信データベースを更新する。例えば、収集部３１３は、位置情報をユーザ管理データベースに登録することによって、ユーザ管理データベースを更新する。
【００６０】
図１に戻り、情報配信装置３の構成の例の説明を続ける。集計部３１４は、配信データベースに登録されているデータを集計する。集計部３１４は、応答信号に応じて更新された配信データベースに基づいて、更新された到達状況情報を配信先端末４ごとに得る。集計部３１４は、例えば、到達状況情報に基づく集計結果情報としてグラフを生成する。グラフは、特定の種類のグラフに限定されないが、例えば、円グラフ、棒グラフである。
【００６１】
集計部３１４は、例えば、到達状況情報の一部に基づく集計結果情報としてデータテーブルを生成する。集計結果情報としてのデータテーブルは、例えば、特定の質問に対する回答ごとに集計されたデータテーブルである。例えば、集計部３１４は、質問内容「自宅ですか？」に対して第２回答内容「いいえ」を回答した複数の回答者に関するデータをユーザ管理データベース及び配信データベースから抽出することによって、抽出されたデータに基づいてデータテーブルを生成する。集計部３１４は、集計結果情報を集計結果データベースに登録する。
【００６２】
地図処理部３１５は、地図データを地図データベース記憶装置５から取得する。地図処理部３１５は、各配信先端末４から収集された応答信号に基づいて地図データを加工することによって、加工された地図データを集計結果情報として生成する。すなわち、地図処理部３１５は、到達状況情報に基づく地図データを、集計結果情報として生成する。例えば、情報配信装置３は、配信先端末４の位置を示すピン画像を地図上に配置することによって、加工された地図データを生成する。なお、集計部３１４は、地図処理部３１５と一体でもよい。すなわち、地図処理部３１５としての集計部３１４は、加工された地図データを集計結果情報として生成してもよい。
【００６３】
読出部３１６は、配信元端末２の読出要求部２２２から読み出しを要求された情報を、配信装置記憶部３２に記憶されている複数のデータベースから読み出す。例えば、読出部３１６は、集計結果情報を集計結果データベースから読み出す。読出部３１６は、読み出された情報を、通信部３０を介して配信元端末２に送信する。
【００６４】
配信装置記憶部３２は、例えば、磁気ハードディスク装置や半導体記憶装置等の不揮発性の記録媒体（非一時的な記録媒体）である。配信装置記憶部３２は、ＲＡＭ等の揮発性の記録媒体を更に備えてもよい。配信装置記憶部３２は、ユーザ管理データベースと、配信データベースと、メッセージデータベースと、集計結果データベースとを記憶する。
【００６５】
配信装置記憶部３２は、配信元端末２及び各配信先端末４に割り当てられたＩＰアドレス等の識別情報のデータベースを更に記憶してもよい。配信装置記憶部３２は、所定のランドマークの位置情報のデータベースを更に記憶してもよい。配信装置記憶部３２は、各配信先端末４に配信されるアプリケーションプログラムを更に記憶してもよい。
【００６６】
配信先端末４の構成の例を説明する。
配信先端末４は、通信部４０と、記憶部４１と、操作部４２と、処理部４３と、出力部４４とを備える。通信部４０と処理部４３とのうちの一部又は全部は、例えば、ＣＰＵ等のプロセッサが、記憶部４１に記憶されたプログラムを実行することにより実現される。通信部４０と処理部４３とのうちの一部又は全部は、ＬＳＩやＡＳＩＣ等のハードウェアを用いて実現されてもよい。
【００６７】
通信部４０は、ＩＰ通信を実行する機能部である。通信部４０は、ＩＰ網６−２を介して、情報配信装置３及び地図データベース記憶装置５と通信する。例えば、通信部４０は、処理部４３から取得した応答信号を、情報配信装置３に送信する。例えば、通信部４０は、自端末に割り当てられたＩＰアドレスを、情報配信装置３に通知してもよい。
【００６８】
記憶部４１は、例えば、磁気ハードディスク装置や半導体記憶装置等の不揮発性の記録媒体（非一時的な記録媒体）である。記憶部４１は、ＲＡＭ等の揮発性の記録媒体を更に備えてもよい。記憶部４１は、例えば、情報配信装置３から配信された情報を処理するためのアプリケーションプログラムを記憶する。記憶部４１は、自端末に割り当てられたＩＰアドレスを更に記憶してもよい。
【００６９】
操作部４２は、マウス、キーボード、タッチパネル等の操作デバイスを有する。操作部４２は、ハードウェアの操作キーを備えてもよいし、表示デバイスとしての出力部４４の画面に表示された操作キー画像（ボタン画像）を備えてもよい。
【００７０】
処理部４３は、情報配信装置３から配信された情報を処理するためのアプリケーションプログラムを実行する。処理部４３は、出力処理部４３０と、音声合成部４３１と、位置情報部４３２と、応答処理部４３３とを備える。出力処理部４３０は、情報配信装置３から配信された情報に画像処理を施す。出力処理部４３０は、情報配信装置３から配信されたメッセージ等の情報を、表示デバイスとしての出力部４４に表示する。
【００７１】
音声合成部４３１は、情報配信装置３から配信されたメッセージ（テキストデータ）に音声合成処理を施す。音声合成部４３１は、メッセージから合成された音声を、出力部４４から出力する。すなわち、音声合成部４３１は、読み上げモードで配信されたメッセージを読み上げる音声を、出力部４４から出力する。テキストデータであるメッセージのデータ量は小さい。情報配信装置３が音声データを配信先端末４に直接送信する場合と比較して、情報配信装置３がテキストデータを配信先端末４に送信する場合では、情報配信装置３は、ＩＰ網６−２においてデータの輻輳が生じないようにすることができる。また、配信先端末４が音声合成部４３１を備えることによって、配信先端末４は、音声データの送信と同等の効果を得ることができる。
【００７２】
位置情報部４３２は、配信先端末４の所有者（ユーザ）の位置情報を、通信部４０を介して情報配信装置３に送信する。位置情報部４３２は、人工衛星等からの電波を用いた測位処理を実行する。位置情報部４３２は、予め定められた設置位置を表す緯度経度情報を出力してもよい。
【００７３】
応答処理部４３３は、配信された情報を通信部４０又は処理部４３が取得した場合、応答信号を情報配信装置３に送信する。この場合、応答信号は、配信された情報が配信先端末４に到達したことを表す情報を含む。応答処理部４３３は、操作部４２に対する操作を受け付けた場合、応答信号を情報配信装置３に送信する。この場合、応答信号は、配信された情報が到達又は既読になったことを表す情報を含む。また、応答信号は、配信された質問メッセージに対して回答中又は全回答になったことを表す情報を含んでもよい。
【００７４】
出力部４４は、液晶ディスプレイ等の表示デバイスである。出力部４４は、出力処理部４３０によって生成された画像を表示する。出力部４４は、スピーカを更に備えてもよい。出力部４４は、音声合成部４３１によってテキストデータから合成された音声を出力してもよい。
【００７５】
図６は、メッセージの表示（読み上げ）の例を示す図である。図６では、出力部４４は、図４に示されたメッセージ番号「１」のメッセージを表示する。また、出力部４４は、読み上げられたメッセージの音声を出力する。出力部４４は、操作部４２に備えられた操作キー（ボタン）として機能する確認操作キー画像１０を表示する。応答処理部４３３は、確認操作キー画像１０が押下操作された場合、配信されたメッセージが既読になったことを表す情報を含む応答信号を、通信部４０を介して情報配信装置３に送信する。
【００７６】
図７は、質問及び回答の表示の例を示す図である。図７では、出力部４４は、図３に示された質問メッセージを表示する。出力部４４は、画面上の上から下に向けて時系列に質問及び回答を表示する。出力部４４は、質問表示画像１００と、質問表示画像１０１と、質問表示画像１０２と、リンク表示画像１０３とを表示する。出力部４４は、回答操作キー画像１１０と、回答操作キー画像１１１と、回答操作キー画像１１２とを表示する。
【００７７】
出力部４４は、配信された質問番号「１」の質問内容を、質問表示画像１００として表示する。質問番号「１」の質問内容に対して回答操作キー画像１１０「はい」が押下操作された場合、出力部４４は、回答に応じて次に配信された質問番号「２」の質問内容を、質問表示画像１０１として表示する。質問番号「２」の質問内容に対して回答操作キー画像１１１「いいえ」が押下操作された場合、出力部４４は、回答に応じて次に配信された質問番号「４」の質問内容を、質問表示画像１０２として表示する。
【００７８】
質問番号「４」の質問内容に対して回答操作キー画像１１２「いいえ」が押下操作された場合、出力部４４は、回答に応じて次に配信された質問番号「６」の質問内容として、配信先端末４の位置から避難所までの経路を表す地図データへのリンク情報（ＵＲＬ）を表す画像であるリンク表示画像１０３を表示する。リンク情報は、地図データベース記憶装置５に記憶されている地図データへのリンクを示す情報である。出力部４４は、リンク表示画像１０３が押下操作された場合、リンク情報に基づいて地図を表示してもよい。リンク情報に基づいて表示される地図は、例えば、配信先端末４の位置から避難所までの経路を表す地図である。
【００７９】
次に、集計結果情報と再配信処理との詳細を説明する。
図８は、到達状況等の表示の例を示す図である。ランドマークピン画像２０１〜２０２は、予め定められたランドマークの位置を地図上で表すピン画像である。既読ピン画像２０３は、配信データベースにおける第１のステータスが既読となっている配信先端末４のうちの第２のステータスが全回答となっていない配信先端末４の位置を地図上で表すピン画像である。全回答ピン画像２０４〜２０６は、配信データベースにおける第２のステータスが全回答となっている配信先端末４の位置を地図上で表すピン画像である。未達ピン画像２０７〜２１０は、配信データベースにおける第１のステータスが未達となっている配信先端末４の位置を地図上で表すピン画像である。回答中ピン画像２１３は、配信データベースにおける第２のステータスが回答中となっている配信先端末４の位置を地図上で表すピン画像である。情報配信装置３の集計部３１４は、ランドマークピン画像２０１〜２０２と、既読ピン画像２０３と、全回答ピン画像２０４〜２０６と、未達ピン画像２０７〜２１０と、回答中ピン画像２１３とを、例えば、図５に示されているような配信データベースに基づいて地図上に配置する。このようにして、集計部３１４は、加工された地図データを集計結果情報として生成する。図８の画面において、配信者は、チェックボックス欄２１４の任意のチェックボックスにチェックマークを記入することによって、そのチェックボックスに予め対応付けられたステータスのピン画像を表示させることができる。
【００８０】
集計部３１４は、図５に示されているような配信データベースに基づいて、円グラフ２１１を生成する。円グラフ２１１は、配信データベースの集計結果情報を表す円グラフである。集計部３１４は、加工された地図に円グラフ２１１を重畳する。このようにして、集計部３１４は、加工された地図データを更に加工する。集計部３１４は、情報の到達状況を配信先端末４ごとに表す集計結果情報として、加工された地図データを集計結果データベースに登録する。
【００８１】
配信元端末２の出力部２３は、到達状況タブ画像２００を表示する。到達状況タブ画像２００は、情報の到達状況を配信先端末４ごとに表す画像を表示するためのタブ画像である。情報の到達状況を配信先端末４ごとに表す画像は、集計結果情報としての加工された地図を含む画像である。情報の到達状況を配信先端末４ごとに表す画像には、グラフや地名等の各種情報が重畳されてもよい。配信者は、操作部２１を操作することによって、到達状況タブ画像２００を選択する。例えば、配信者は、操作部２１がマウスである場合、画面上で到達状況タブ画像２００を押下操作することによって、到達状況タブ画像２００を選択する。
【００８２】
配信元端末２の読出要求部２２２は、到達状況タブ画像２００が押下操作された場合、情報の到達状況を配信先端末４ごとに表す画像の読み出しを、情報配信装置３の読出部３１６に要求する。情報配信装置３の読出部３１６は、情報の到達状況を配信先端末４ごとに表す画像を、集計結果データベースから読み出す。配信元端末２の出力処理部２２３は、情報の到達状況を配信先端末４ごとに表す画像を取得する。配信元端末２の出力部２３は、情報の到達状況を配信先端末４ごとに表す画像を表示する。
【００８３】
情報の配信者は、情報の到達状況を出力部２３の画面上で確認することができる。配信者は、操作部２１がマウスである場合、加工された地図上で範囲を指定することによって、地図上で指定された範囲内に存在する１台以上の配信先端末４を、情報を再配信する対象の配信先端末４として選択する。指定範囲画像２１２は、指定された範囲を表す画像である。配信者は、操作部２１がマウスである場合、加工された地図上のピン画像を押下操作することによって、情報を再配信する対象の配信先端末４を配信先端末４ごとに選択してもよい。配信者は、操作部２１がタッチパネルである場合、加工された地図上のピン画像に画面上で触れることによって、情報を再配信する対象の配信先端末４を選択してもよい。
【００８４】
配信元端末２の書込要求部２２１は、情報を再配信する対象の配信先端末４を表す情報（以下「再配信先情報」という。）を情報配信装置３の配信データベースに登録することを、操作部２１による操作に応じて情報配信装置３の書込部３１１に要求する。
【００８５】
図９は、ユーザ管理データベース及び配信データベースの第３例を示す図である。情報配信装置３の書込部３１１は、再配信先情報に基づいて、再配信する対象の配信先端末４の再配信フラグを「要」に更新する。情報配信装置３の配信部３１２は、再配信フラグが「要」に更新された配信先端末ＩＤの配信先端末４に向けて、通信部３０を介して情報を再配信する。
【００８６】
図１０は、集計結果情報等の表示の第１例を示す図である。配信元端末２の出力部２３は、回答集計タブ画像３００を表示する。配信元端末２の読出要求部２２２は、回答集計タブ画像３００が押下操作された場合、情報の配信先となった１台以上の配信先端末４から得られた回答の集計結果情報を表す画像の読み出しを、情報配信装置３の読出部３１６に要求する。情報配信装置３の読出部３１６は、回答の集計結果情報を表す画像を、集計結果データベースから読み出す。配信元端末２の出力処理部２２３は、回答の集計結果情報を表す画像を取得する。配信元端末２の出力部２３は、回答の集計結果情報を表す画像を表示する。
【００８７】
情報の配信先となった１台以上の配信先端末４から得られた回答の集計結果情報を表す画像は、例えば、棒グラフで表される。棒グラフは、各質問に回答した人数（配信先端末４の台数）を回答ごとに表す棒グラフである。図１０では、棒グラフ３０１は、質問番号「２」の質問に回答した人数を回答ごと（「庁舎内」、「外出中」、「自宅」）に表す棒グラフである。配信者は、操作部２１を操作することによって、各棒グラフに対して、回答単位で押下操作を行うことが可能である。
【００８８】
なお、配信元端末２の出力部２３は、個別集計タブ画像３０２を表示してもよい。配信元端末２の読出要求部２２２は、個別集計タブ画像３０２が押下操作された場合、配信先端末４の一覧の読み出しを、情報配信装置３の読出部３１６に要求する。出力部２３は、読出部３１６によって読み出された配信先端末４の一覧を表示する。配信者は、操作部２１を操作することによって、配信先端末４の一覧から１台の配信先端末４を選択することが可能である。配信元端末２の読出要求部２２２は、情報の配信先となった配信先端末４のうちから選択された１台の配信先端末４から得られた回答の集計結果情報（以下「個別集計結果情報」という。）を表す画像の読み出しを、情報配信装置３の読出部３１６に要求する。情報配信装置３の読出部３１６は、個別集計結果情報を集計結果データベースから読み出す。配信元端末２の出力処理部２２３は、個別集計結果情報を取得する。配信元端末２の出力部２３は、個別集計結果情報を表す画像を表示する。配信元端末２の出力部２３は、例えば、図７に示されたような質問及び回答と日時とが時系列で登録されたデータテーブルを、個別集計結果情報を表す画像として表示する。
【００８９】
図１１は、集計結果情報等の表示の第２例を示す図である。図１０に示された棒グラフ３０１における「外出中」の領域が押下操作された場合、配信元端末２の読出要求部２２２は、質問番号「２」の質問に「いいえ（外出中）」と回答した配信先端末４の配信データテーブルの一部の読み出しを、情報配信装置３の読出部３１６に要求する。情報配信装置３の読出部３１６は、配信データテーブルの一部を、集計結果データベースから読み出す。配信元端末２の出力処理部２２３は、配信データテーブルの一部を表す画像を取得する。配信元端末２の出力部２３は、配信データテーブルの一部を表す画像を、集計結果情報として表示する。
【００９０】
配信元端末２の出力部２３は、操作部２１の操作キー画像としてのチェックボックスを、再配信欄に表示してもよい。配信者は、操作部２１を操作することによって、情報を再配信する対象の配信先端末４の再配信欄のチェックボックスにマークを記入する。配信者は、操作部２１を操作することによって、再配信操作キー画像１１を押下操作する。書込要求部２２１は、再配信操作キー画像１１が押下操作された場合、チェックボックスにマークが記入された回答者ＩＤの配信先端末４について、配信データベースの再配信フラグに「要」を書き込むことを情報配信装置３に要求する。
【００９１】
図１２は、ユーザ管理データベース及び配信データベースの第４例を示す図である。情報配信装置３の書込部３１１は、再配信先情報に基づいて、再配信する対象の配信先端末４の再配信フラグを「要」に更新する。情報配信装置３の配信部３１２は、再配信フラグが「要」に更新された配信先端末ＩＤの配信先端末４に向けて、通信部３０を介して情報を再配信する。
【００９２】
次に、情報配信システム１の動作の例を説明する。
図１３は、情報配信システム１の動作の例を示すフローチャートである。配信元端末２は、メッセージを作成する（Ｓ１０１）。配信元端末２は、一例として配信先端末４−１及び配信先端末４−３を選択する（Ｓ１０２）。情報配信装置３は、メッセージ及び配信先情報を取得する（Ｓ２０１）。情報配信装置３は、メッセージ及び配信先情報に基づいて、メッセージデータベース及び配信データベースを編集する（Ｓ２０２）。図１３では、情報配信装置３は、選択された配信先端末４−１と選択された配信先端末４−３とに、メッセージを配信する（Ｓ２０３）。図１３では、ステップＳ２０３において情報配信装置３が配信先端末４−１に向けて送信した情報を、一例として配信先端末４−１が取得しなかった場合について説明する。
【００９３】
配信先端末４−３は、メッセージを情報配信装置３から取得する（Ｓ３０１）。配信先端末４−３は、メッセージを出力部４４−３に出力する（Ｓ３０２）。配信先端末４−３は、応答信号を情報配信装置３に送信する（Ｓ３０３）。
【００９４】
情報配信装置３は、応答信号を配信先端末４−３から取得する（Ｓ２０４）。情報配信装置３は、応答信号に基づいて配信データベースを編集する（Ｓ２０５）。情報配信装置３は、編集された配信データベースに基づいて、集計処理等を実行する（Ｓ２０６）。情報配信装置３は、集計結果データベースに集計結果情報を登録する（Ｓ２０７）。配信元端末２は、集計結果情報が登録された集計結果データベースにアクセスすることによって、集計結果情報を取得及び出力する（Ｓ１０３）。
【００９５】
配信元端末２は、再配信先端末を選択する（Ｓ１０４）。情報配信装置３は、再配信先情報を取得する（Ｓ２０８）。情報配信装置３は、選択された再配信先端末である配信先端末４−１に、メッセージを配信する（Ｓ２０９）。配信先端末４−１は、メッセージを情報配信装置３から取得する（Ｓ４０１）。配信先端末４−１は、メッセージを出力部４４−１に出力する（Ｓ４０２）。配信先端末４−１は、応答信号を情報配信装置３に送信する（Ｓ４０３）。
【００９６】
情報配信装置３は、応答信号を配信先端末４−１から取得する（Ｓ２１０）。情報配信装置３は、配信データベースを編集する（Ｓ２１１）。情報配信装置３は、編集された配信データベースに基づいて、集計処理等を実行する（Ｓ２１２）。情報配信装置３は、集計結果データベースに、集計結果情報を登録する（Ｓ２１３）。配信元端末２は、集計結果情報が登録された集計結果データベースにアクセスすることによって、集計結果情報を取得及び出力する（Ｓ１０５）。
【００９７】
以上のように、情報配信装置３は、配信部３１２と、収集部３１３と、集計部３１４とを備える。配信部３１２は、ＩＰ網６−２を介して、１台以上の配信先端末４に向けて情報を配信する。収集部３１３は、ＩＰ網６−２を介して、情報を取得した１台以上の配信先端末４から応答信号を収集する。集計部３１４は、配信先端末４が情報を少なくとも取得したか否かを表す到達状況情報を、収集された応答信号に基づいて配信先端末４ごとに得る。再配信部としての配信部３１２は、到達状況情報に基づいて選択された配信先端末４に向けて情報を再配信する。これによって、情報配信装置３は、配信先を限定して必要な情報を配信することが可能である。
【００９８】
情報配信装置３は、データの輻輳が生じないように、データ量の少ない通信によって高い同報性を実現することができる。情報配信装置３は、情報を必要とする人に向けて的確な情報を配信することができる。情報配信装置３は、特定の地域で発生が予想された災害に対して、詳細かつ具体的な情報を配信することができる。
【００９９】
配信者は、メッセージ等の情報の到達状況を、時間的に低遅延で確認することができる。配信者は、住民等がメッセージを確認したか否か（既読であるか否か）を、上り通信における応答の収集によって把握することができる。情報配信装置３は、情報の到達状況と配信先端末４の位置とを、地図上に表示することができる。配信者は、メッセージ等の情報の到達状況を直感的に把握することができる。配信者は、メッセージ等の情報の到達状況を効果的に把握することができる。情報配信装置３は、加工された地図を確認した配信者が到達状況に応じて配信先端末４を選択した結果に基づいて、情報を再配信することができる。情報配信装置３は、配信時に利用した配信方法とは異なる他の配信方法を利用して、情報を再配信してもよい。例えば、情報配信装置３は、配信時では有線の通信網を利用し、再配信時では無線の通信網を利用してもよい。
【０１００】
情報配信装置３は、各配信先端末４のＩＣＴリテラシーが互いに異なっていても、ＩＰ網を利用して、テキストデータ等の情報を各配信先端末４に配信することができる。配信者は、住民が既に所有している配信先端末４に情報を配信するので、配信先端末４を新たに用意する必要がない。配信先端末４は、住民が既に所有している情報処理端末に限らず、例えば、配信者が用意した専用の戸別受信機でもよい。情報配信装置３は、平時でも、イベント情報等の情報を配信することができる。配信元端末２は、配信される情報を情報配信装置３に記録するので、配信先端末４の処理が完了するのを待たずに所定の処理を進めることができる。したがって、情報配信装置３は、効率良く情報を配信することが可能となる。
【０１０１】
情報配信装置３は、防災情報が本来必要な人以外には防災情報を配信しないようにすることができるので、無用な混乱や情報の錯綜を招くことがない。また、状況の異なる局所的な位置ごとに情報配信装置３が避難指示等を配信することができるので、配信者は的確かつ効率的な避難誘導を行うことができる。
【０１０２】
以上、この発明の実施形態について図面を参照して詳述してきたが、具体的な構成はこの実施形態に限られるものではなく、この発明の要旨を逸脱しない範囲の設計等も含まれる。
【０１０３】
例えば、配信部３１２は、再配信フラグが「不要」と登録されている配信先端末４のうち、配信時刻から所定時間が経過しても収集部３１３が応答信号を取得していない配信先端末４に向けて、情報を再配信可能としてもよい。これによって、配信者の配信元端末２が情報配信装置３に一時的にアクセスできなくなった場合でも、情報配信装置３は情報を再配信することができる。
【産業上の利用可能性】
【０１０４】
本発明は、例えば、防災情報を配信するシステム、平時における情報を配信するシステムに適用可能である。
【符号の説明】
【０１０５】
１…情報配信システム、２…配信元端末、３…情報配信装置、４…配信先端末、５…地図データベース記憶装置、６…ＩＰ網、１０…確認操作キー画像、１１…再配信操作キー画像、２０…記憶部、２１…操作部、２２…処理部、２３…出力部、２４…通信部、３０…通信部、３１…処理部、３２…配信装置記憶部、４０…通信部、４１…記憶部、４２…操作部、４３…処理部、４４…出力部、１００…質問表示画像、１０１…質問表示画像、１０２…質問表示画像、１０３…リンク表示画像、１１０…回答操作キー画像、１１１…回答操作キー画像、１１２…回答操作キー画像、２００…到達状況タブ画像、２０１…ランドマークピン画像、２０２…ランドマークピン画像、２０３…既読ピン画像、２０４…全回答ピン画像、２０５…全回答ピン画像、２０６…全回答ピン画像、２０７…未達ピン画像、２０８…未達ピン画像、２０９…未達ピン画像、２１０…未達ピン画像、２１１…円グラフ、２１２…指定範囲画像、２１３…回答中ピン画像、２１４…チェックボックス欄、２２０…認証処理部、２２１…書込要求部、２２２…読出要求部、２２３…出力処理部、３００…回答集計タブ画像、３０１…棒グラフ、３０２…個別集計タブ画像、３１０…認証部、３１１…書込部、３１２…配信部、３１３…収集部、３１４…集計部、３１５…地図処理部、３１６…読出部、４３０…出力処理部、４３１…音声合成部、４３２…位置情報部、４３３…応答処理部
【図１】
2019021278.tif 000003
【図２】
2019021278.tif 000004
【図３】
2019021278.tif 000005
【図４】
2019021278.tif 000006
【図５】
2019021278.tif 000007
【図６】
2019021278.tif 000008
【図７】
2019021278.tif 000009
【図８】
2019021278.tif 000010
【図９】
2019021278.tif 000011
【図１０】
2019021278.tif 000012
【図１１】
2019021278.tif 000013
【図１２】
2019021278.tif 000014
【図１３】
2019021278.tif 000015